(57)【要約】【課題】  容器内の充填物を容易に取出すことができる容器の押圧構造を提供する。【解決手段】  容器の押圧構造は、外容器１及び内容器２を備える。外容器１は、凹槽１１１が内側に設けられた外缶１１と、外缶１１を覆うトップカバー１２とを有する。内容器２は、外容器１の内側に配置され、収納缶２１、押圧部材２２及び栓２３を有する。収納缶２１は、内側に収納槽２１１が設けられ、外容器１の外缶１１の内側に設けた凹槽１１１の中に配置される。収納槽２１１の中には、薄壁からなる押圧壁２２１を有するディスク状の押圧部材２２が配置される。押圧壁２２１には、栓２３を挿入することが可能な排出孔２２２が設けられている。【選択図】  図１
0003158361.tif 000002
【実用新案登録請求の範囲】
【請求項１】
外容器及び内容器を備える容器の押圧構造であって、
前記外容器は、凹槽が内側に設けられた外缶と、前記外缶を覆うトップカバーとを有し、
前記内容器は、前記外容器の内側に配置され、収納缶、押圧部材及び栓を有し、
前記収納缶は、内側に収納槽が設けられ、前記外容器の前記外缶の内側に設けた前記凹槽の中に配置され、
前記収納槽の内部には、薄壁からなる押圧壁を有するディスク状の押圧部材が配置され、
前記押圧壁には、栓を挿入することが可能な排出孔が設けられてなることを特徴とする容器の押圧構造。
【請求項２】
前記外容器の前記外缶は、均等に間隔をおいて設けられた複数の嵌着ブロックを上端縁に有してなることを特徴とする請求項１に記載の容器の押圧構造。
【請求項３】
前記内容器の前記収納缶は、均等に間隔をおいて設けられた複数の嵌合孔を上端に有してなることを特徴とする請求項１に記載の容器の押圧構造。
【請求項４】
前記内容器の前記収納槽は、均等に間隔をおいて設けられた前記複数の嵌合孔を上端に有し、
前記外容器の前記外缶の上端縁に、複数の嵌着ブロックが設けられている場合、前記嵌着ブロックに対応した位置に、前記嵌合孔が設けられ、前記外缶の内側に設けられた前記凹槽の内部に前記収納槽が位置すると、前記嵌合孔に前記嵌着ブロックが嵌着してなることを特徴とする請求項３に記載の容器の押圧構造。
【請求項５】
前記内容器の前記収納缶の内側に設けた前記収納槽の底部は、中心が上向きに突出したテーパー状に形成されてなることを特徴とする請求項１に記載の容器の押圧構造。
【請求項６】
前記内容器の前記収納缶の内側に設けた前記収納槽は、中心が上向きに突出したテーパー状に底部が形成され、
前記収納槽の底部へ密着することが可能なように、前記押圧部材の前記押圧壁の形状がテーパー状であることを特徴とする請求項１に記載の容器の押圧構造。
【考案の詳細な説明】
【技術分野】
【０００１】
本考案は、容器の押圧構造に関し、さらに詳しくは、スキンケア製品等を充填することができる容器の押圧構造に関する。
【背景技術】
【０００２】
従来の押圧式容器は、充填物を充填するために用いられるものであり、瓶本体もかかる押圧式容器として用いられている。容器が押圧位置におかれていないときは、排出ルートの出口が上部の組立壁によって塞がれ、容器が排出位置まで回転されると、出口が組立壁に延伸される。上述した押圧式容器は、容器の瓶本体の中に配置した押圧ベース及びピストンユニットにより、上下の組立壁を画定する。上下の組立壁の外周縁には、弾性部材が嵌合されている。瓶本体の内部が上下の組立壁及び弾性部材により大きな空間が占有されているため、瓶本体に収納することができる充填物の量が大幅に減る上、充填物を排出した後でも排出ルートに充填物が残り易い。そのため、かかる押圧式容器は、充填物が浪費される上、製造コストも高いものであった。
【０００３】
かかる状況下において、例えば、特許文献１によれば、液体貯留容器から内部の液体を完全に排出するための押圧補助具が提案されている。
【０００４】
また、特許文献２によれば、粘性物の吐出装置が開示されている。
【０００５】
しかし、前記の補助具は本体容器に対する付属品であり、構成上も複雑になるので、容器の内部構造の改良により充填物の排出が完全にできる構造の開発が切望されており、前記の粘性物の吐出装置についても耐圧容器と気体を使用して粘性物容器を変形する点で構成上複雑であり、排出効果についても改良すべき点が指摘されている。
【特許文献１】実開平７−７６４６号公報
【特許文献２】特開２００４−１７４４６８号公報
【考案の開示】
【考案が解決しようとする課題】
【０００６】
従って、本考案の課題は、容器内の充填物を容易に取出すことができる容器の押圧構造を提供することにある。
【課題を解決するための手段】
【０００７】
そこで、本考案者は、前記の本考案の課題を解決するために鋭意検討を重ねた結果、後述するように、外容器と内容器を組合せ、内容器の押圧部材を下方向へ押圧することにより内部の充填物を完全に取り出せる構造に着目し、かかる知見に基いて本考案を想到するに至った。
【０００８】
かくして、上記課題を解決するために、本考案の第１の形態によれば、外容器及び内容器を備える容器の押圧構造であって、前記外容器は、凹槽が内側に設けられた外缶と、前記外缶を覆うトップカバーと、を有し、前記内容器は、前記外容器の内側に配置され、収納缶、押圧部材及び栓を有し、前記収納缶は、内側に収納槽が設けられ、前記外容器の前記外缶の内側に設けた前記凹槽の内部に配置され、前記収納槽の中には、薄壁からなる押圧壁を有するディスク状の押圧部材が配置され、前記押圧壁には、栓を挿入することが可能な排出孔が設けられてなることを特徴とする容器の押圧構造が提供される。
【０００９】
前記第１の形態において、
前記外容器の前記外缶は、均等に間隔をおいて設けられた複数の嵌着ブロックを上端縁に有することが好ましい。
【００１０】
前記第１の形態において、
前記内容器の前記収納缶は、均等に間隔をおいて設けられた複数の嵌合孔を上端に有することが好ましい。
【００１１】
前記第１の形態において、
前記内容器の前記収納槽は、均等に間隔をおいて設けられた前記複数の嵌合孔を上端に有し、前記外容器の前記外缶の上端縁に、複数の嵌着ブロックが設けられている場合、前記嵌着ブロックに対応した位置に、前記嵌合孔が設けられ、前記外缶の内側に設けられた前記凹槽の中に前記収納槽が位置すると、前記嵌合孔に前記嵌着ブロックが嵌着することが好ましい。
【００１２】
前記第１の形態において、
前記内容器の前記収納缶の内側に設けた前記収納槽の底部は、中心が上向きに突出したテーパー状に形成されていることが好ましい。
【００１３】
前記第１の形態において、
前記内容器の前記収納缶の内側に設けた前記収納槽は、中心が上向きに突出したテーパー状に底部が形成され、前記収納槽の底部へ密着することが可能なように、前記押圧部材の前記押圧壁の形状がテーパー状であることが好ましい。
【考案の効果】
【００１４】
本考案の容器の押圧構造は、容器内の充填物を、その充填の粘性等の如何に拘らず容易に取り出すことができる。
【図面の簡単な説明】
【００１５】
【図１】本考案の一実施形態による容器の押圧構造を示す分解斜視図である。
【図２】本考案の一実施形態による容器の押圧構造の断面部分を示す透視図である。
【図３】本考案の一実施形態による容器を使用する前の押圧構造を示す断面図である。
【図４】本考案の一実施形態による容器を使用した後の押圧構造を示す断面図である。
【考案を実施するための最良の形態】
【００１６】
以下、本考案の実施形態について図面に基づいて具体的に説明する。なお、これによって本考案が限定されるものではない。
【００１７】
図１に示すように、本考案の一実施形態による容器の押圧構造は、外容器１及び内容器２を含む。
【００１８】
外容器１は、外缶１１及びトップカバー１２を含む。外缶１１の内部に、凹１１１が設置され、複数の嵌着ブロック１１２が上端縁に均等の間隔をおいて設けられ、トップカバー１２により上部をカバーしてある。
【００１９】
図１及び図２に示すように、内容器２は、外容器１の内側に位置し、収納缶２１、押圧部材２２及び栓２３を含む。収納缶２１は、外容器１の外缶１１の内側に設けられた凹槽１１１の中に位置し、収納槽２１１が中に設けられている。収納槽２１１は、スキンケア製品などの充填物を収納することができる。収納槽２１１の底部は、中心が上向きに突出したテーパー状に形成されている。収納缶２１の上端には、複数の嵌合孔２１２が均等に間隔をおいて設けられている。嵌合孔２１２は、外缶１１の嵌着ブロック１１２に対応した位置に設けられているため、外缶１１の凹槽１１１の中に収納缶２１が配置されると、嵌合孔２１２に嵌着ブロック１１２が嵌合され、収納缶２１が固定される。収納槽２１１の中には、ディスク状の押圧部材２２が配置されている。ディスク状の押圧部材２２の薄壁は、押圧壁２２１に形成されている。押圧壁２２１の形状は、収納槽２１１の底部へ密着することができるテーパー状である。このテーパー状の尖鋭突起端には、栓２３を挿入することができる排出孔２２２が穿設されている。
【００２０】
図２に示すように、本実施形態に係る容器の押圧構造を実際に使用する際は、まず、外容器１の外缶１１から外容器１のトップカバー１２を引き起こし、内容器２の押圧部材２２上に設けられた排出孔２２２（図３に示す）から内容器２の栓２３を引抜く。図３に示すように、ユーザが、内容器２の押圧部材２２の押圧壁２２１を押圧すると、内容器２の収納缶２１に設けられた収納槽２１１の中に、スキンケアの充填物を収納することができる。また、ユーザが押圧壁２２１を押圧すると、押圧部材２２により収納槽２１１の中に充填した充填物が押圧され、押圧壁２２１の上端に設けられた排出孔２２２から排出された充填物を直接使用することができる。押圧壁２２１は、収納槽２１１の底部に密着することができるようにテーパー状に形成されているため、収納槽２１１の中にある充填物が無くなると、押圧壁２２１が収納槽２１１の底部に密着する。これにより、収納槽２１１の中の充填物を残さずに完全に使い果たすことができる。
【００２１】
図４に示すように、本実施形態の容器の押圧構造の特徴は、内容器２の収納缶２１及び押圧部材２２にある。押圧部材２２は、収納缶２１の中に設けた収納槽２１１に配置されている。収納槽２１１の中には、充填物が充填され、押圧部材２２に設けた押圧壁２２１を押圧すると、押圧壁２２１上に設けた排出孔２２２から充填物が排出されるため、ユーザは充填物を容易に取出すことができる。押圧壁２２１は、収納槽２１１の底部に密着することが可能なため、収納槽２１１の中の充填物が無くなると、押圧壁２２１が収納槽２１１の底部に密着する。これにより、収納槽２１１の中の充填物を残さずに完全に使い果たすことができる。
【００２２】
本考案の好適な実施形態を前述の通り開示したが、これらにより本考案は限定されるものではなく、本考案の主旨と領域を逸脱しない範囲内で各種の変更や修正を加えることができる。
【符号の説明】
【００２３】
１  外容器
２  内容器
１１  外缶    
１２  トップカバー
２１  収納缶
２２  押圧部材
２３  栓
１１１  凹槽
１１２  嵌着ブロック
２１１  収納槽
２１２  嵌合孔
２２１  押圧壁
２２２  排出孔
【図１】
0003158361.tif 000003
【図２】
0003158361.tif 000004
【図３】
0003158361.tif 000005
【図４】
0003158361.tif 000006